(57)【要約】【課題】監視装置および監視カメラの設置現場で比較的簡単に互いの対応関係を設定できるようにした監視カメラシステムを提供すること。【解決手段】監視カメラ２０が、ユーザによる設定操作に応答してネットワークに要求コマンドをブロードキャスト送信し、監視装置１０が、ネットワークを介して要求コマンドを受信し、その要求コマンドが自身宛の要求であることを認識した場合、監視カメラ２０宛に応答コマンドを送信することにより、監視装置１０と監視カメラ２０との対応関係がそれぞれに設定されるように構成する。【選択図】図１
2005301850.tif 000002
【特許請求の範囲】
【請求項１】
異常を検知する監視装置と、画像を撮影する監視カメラとがネットワークを介して接続される監視カメラシステムであって、
前記監視カメラが、ユーザによる設定操作に応答して前記ネットワークに要求コマンドをブロードキャスト送信し、
前記監視装置が、前記ネットワークを介して前記要求コマンドを受信し、前記要求コマンドが自身宛の要求であることを認識した場合、前記監視カメラ宛に応答コマンドを送信することにより、
前記監視装置と前記監視カメラとの対応関係がそれぞれに設定されることを特徴とする監視カメラシステム。
【請求項２】
請求項１に記載の監視カメラシステムにおいて、
前記監視カメラは、ユーザが操作する設定スイッチを備え、該設定スイッチが操作されたことに応答して前記要求コマンドを送出するように構成され、
前記監視装置は、前記ネットワークにブロードキャスト送信されるコマンドを受信した場合に、該コマンドに対する応答コマンドを送信する自動応答機能を能動化させる設定スイッチを備えており、該設定スイッチが操作され、前記自動応答機能の動作期間中に受信する前記要求コマンドを自身宛の要求であると認識することを特徴とする監視カメラシステム。
【請求項３】
請求項１に記載の監視カメラシステムにおいて、
前記監視カメラは、ユーザが操作する設定スイッチを備え、該設定スイッチが操作されたことに応答して、画像を撮影して画像認識を行うことにより、前記画像に含まれる識別情報を取得し、前記要求コマンドに当該識別情報を含めてブロードキャスト送信するように構成され、
前記監視装置は、その外面に固有の識別情報が付されるとともに、当該固有の識別情報を記憶する記憶手段を有しており、前記ネットワークを介して前記要求コマンドを受信した場合、前記要求コマンドに含まれる前記識別情報が前記記憶手段に記憶される前記固有の識別情報に一致するか否かを判断し、一致する場合に前記要求コマンドを自身宛の要求であると認識することを特徴とする監視カメラシステム。
【請求項４】
請求項１乃至３のいずれかに記載の監視カメラシステムにおいて、
前記監視装置は、異常を検知した場合、自身に対応付けられた前記監視カメラに対し、前記ネットワークを介して撮影動作を指示する信号を送信することを特徴とする監視カメラシステム。
【発明の詳細な説明】
【技術分野】
【０００１】
本発明は、異常を検知する監視装置と、画像を撮影する監視カメラとがネットワークを介して接続される監視カメラシステムに関する。
【背景技術】
【０００２】
従来、工場の生産管理、建物などのセキュリティ管理、道路の交通管理又は病院や自宅などでの介護などを目的として、複数の地点に、センサを備えた監視装置を設置するとともに、監視カメラで異常発生地点の映像を撮影できるようにした監視カメラシステムが存在する（例えば、特許文献１）。
【０００３】
このような監視カメラシステムでは、複数地点の監視を集中的に行うためにコンピュータ等の集中管理装置が設置され、集中管理装置、監視装置および監視カメラのそれぞれがネットワークによって互いに接続された構成となる。そして集中管理装置が各地点の状態を監視する際には、集中管理装置からネットワークを介して各監視装置宛に順番にポーリングを発し、各監視装置からの応答によって各地点の異常の有無などを把握するのが一般的であり、ある監視装置から異常応答があった場合、集中管理装置がその監視装置に対応付けられた監視カメラを制御して異常発生場所の撮影を開始し、映像記録を行っていた。
【０００４】
ところが、この場合、監視地点の数が数百〜数千地点に多くなると、集中管理装置からひとつの監視装置にポーリングを発する周期が長くなり、監視装置が異常を検知してもそれに対する対応措置（映像撮影や映像記録など）が遅れる可能性があり、問題があった。またこのようなシステム構成では、集中管理装置の処理負荷が著しく大きくなり、１台の集中管理装置で多数の地点を管理するには限界があった。
【０００５】
そのため近年では、ネットワークのリモート監視に使用されるプロトコルの１つであるＳＮＭＰ（Simple Network Management Protocol）を用い、監視装置が異常を検知した場合、監視装置から集中管理装置に対してＴＲＡＰパケットとして異常信号を通知する方法が採用されつつある。
【０００６】
このようなＳＮＭＰを採用した監視カメラシステムでは、多数の監視装置からの異常通知を効率よく集中管理装置側で受信できることになるが、異常発生場所の状況を確認するためには、集中管理装置から、対応する監視カメラの遠隔操作を行う必要があり、記録される映像は依然として異常発生からかなり遅れたものになる可能性があった。
【０００７】
【特許文献１】特開２００１−２２９４７９号公報
【発明の開示】
【発明が解決しようとする課題】
【０００８】
上記のような背景技術に鑑みれば、監視装置が異常を検知した場合、監視装置自身が監視カメラの撮影制御を行うように構成することにより、集中管理装置の処理負担は軽減され、異常発生からほとんど遅れのない映像を取得できるようになると考えられる。
【０００９】
しかしながら、そのような構成を採用する場合、どの監視装置がどの監視カメラを制御するのかという対応関係を予め監視装置と監視カメラとに設定しておく必要がある。これを、集中管理装置から監視装置および監視カメラに対して個別に設定していくようにすると、集中管理装置の負荷は軽減されないことになる。
【００１０】
そこで本発明は、上記課題を解決するためになされたものであり、監視装置および監視カメラの設置現場で比較的簡単に互いの対応関係を設定できる監視カメラシステムを提供し、また監視装置が異常を検知した場合、監視装置が直接的に監視カメラの撮影制御を行うことのできる監視カメラシステムを提供することを目的とするものである。
【課題を解決するための手段】
【００１１】
本発明にかかる監視カメラシステムは、異常を検知する監視装置と、画像を撮影する監視カメラとがネットワークを介して接続された構成を有し、前記監視カメラが、ユーザによる設定操作に応答して前記ネットワークに要求コマンドをブロードキャスト送信し、前記監視装置が、前記ネットワークを介して前記要求コマンドを受信し、前記要求コマンドが自身宛の要求であることを認識した場合、前記監視カメラ宛に応答コマンドを送信することにより、前記監視装置と前記監視カメラとの対応関係がそれぞれに設定されることを特徴とするものである。
【００１２】
これにより、他の装置が介在することなく、監視装置と監視カメラとの間で、互いの対応関係をそれぞれに設定することができるようになる。
【００１３】
また、上記の監視カメラシステムにおいては、前記監視カメラが、ユーザが操作する設定スイッチを備え、該設定スイッチが操作されたことに応答して前記要求コマンドを送出するように構成されることが好ましく、それに対応して前記監視装置は、前記ネットワークにブロードキャスト送信されるコマンドを受信した場合に、該コマンドに対する応答コマンドを送信する自動応答機能を能動化させる設定スイッチを備え、該設定スイッチが操作され、前記自動応答機能の動作期間中に受信する前記要求コマンドを自身宛の要求であると認識するように構成されることが好ましい。
【００１４】
このような構成とすることにより、監視装置および監視カメラの設置現場で、それぞれに設けられた設定スイッチを操作すれば、監視装置と監視カメラとの対応関係が自動設定されるようになるので、設置現場での対応関係設定作業が簡略化される。
【００１５】
また、上記の監視カメラシステムにおいては、前記監視カメラが、ユーザが操作する設定スイッチを備え、該設定スイッチが操作されたことに応答して、画像を撮影して画像認識を行うことにより、前記画像に含まれる識別情報を取得し、前記要求コマンドに当該識別情報を含めてブロードキャスト送信するように構成されることが好ましく、また前記監視装置は、その外面に固有の識別情報が付されるとともに、当該固有の識別情報を記憶する記憶手段を有しており、前記ネットワークを介して前記要求コマンドを受信した場合、前記要求コマンドに含まれる前記識別情報が前記記憶手段に記憶される前記固有の識別情報に一致するか否かを判断し、一致する場合に前記要求コマンドを自身宛の要求であると認識するように構成されることが好ましい。
【００１６】
このような構成とすることにより、設置現場で監視カメラを用いて監視装置を撮影すれば、その後、自動的に監視装置と監視カメラとの対応関係が設定されるようになるので、比較的簡単に監視装置と監視カメラとの対応関係の設定を行える。
【００１７】
さらに、上記の監視カメラシステムにおいては、前記監視装置が、異常を検知した場合、自身に対応付けられた前記監視カメラに対し、前記ネットワークを介して撮影動作を指示する信号を送信するように構成されることが好ましい。
【００１８】
これにより、監視装置が異常を検知した場合、監視装置が直接的に監視カメラの撮影制御を行うことができるようになる。
【発明の効果】
【００１９】
本発明によれば、異常を検知する監視装置と、画像を撮影する監視カメラとがネットワークを介して接続される監視カメラシステムにおいて、監視装置および監視カメラの設置現場で、監視装置と監視カメラとの互いの対応関係を比較的簡単に設定できるようになる。
【００２０】
そして監視装置が、異常を検知した場合、自身に予め対応付けられた監視カメラに対し、ネットワークを介して撮影動作を指示する信号を送信するように構成されることにより、監視装置が異常を検知した場合、監視装置が直接的に監視カメラの撮影制御を行うことができるようになる。
【発明を実施するための最良の形態】
【００２１】
以下、本発明の実施の形態について図面を参照しつつ詳細に説明する。
【００２２】
＜第１の実施の形態＞
図１は、本発明の第１の実施形態にかかる監視カメラシステム１を示す概略構成図である。監視カメラシステム１は、監視装置１０と監視カメラ２０と集中管理装置３０とがネットワークを介して互いに接続された構成を有する。例えば、監視装置１０および監視カメラ２０はＬＡＮ２に接続され、集中管理装置３０はＬＡＮ６に接続される。そしてＬＡＮ２がルータ３を介してインターネット等の広域通信網４に接続され、ＬＡＮ６がルータ５を介して広域通信網４に接続されることにより、監視装置１０、監視カメラ２０および集中管理装置３０は互いにネットワークを介してデータ通信が可能な構成となる。なお、図１においては、監視装置１０および監視カメラ２０はそれぞれネットワークに１台ずつ設置される場合を例示しているが、これに限定されるものではなく、これらはネットワーク上に複数台設置されるものであっても構わない。また、集中管理装置３０が監視装置１０および監視カメラ２０と同一のＬＡＮ２に接続されるものであっても構わない。また、ネットワークの伝送路は有線である場合に限られず、無線であってもよい。
【００２３】
監視装置１０および監視カメラ２０は相互に予め対応づけられた関係を有し、これらが連携して監視動作を行うように構成されている。具体的には、監視装置１０は、監視地点の異常等を検知するための複数のセンサ１１ａ，１１ｂ，１１ｃを備えており、少なくとも１つのセンサが異常を検知した場合には、集中管理装置３０に対して異常信号を送信するとともに、監視カメラ２０に異常信号を送信し、監視カメラ２０が異常発生場所付近の映像を撮影して集中管理装置３０に映像信号を送信するように構成されている。
【００２４】
また、監視装置１０はユーザが操作可能な設定スイッチ１２を備えており、監視カメラ２０もまたユーザが操作可能な設定スイッチ２２を備えている。これらの設定スイッチ１２，２２は、後述する監視装置１０および監視カメラ２０の対応関係を自動設定するための操作部材であり、押し込み操作式の釦スイッチであってもよいし、スライドスイッチやダイヤルスイッチ等のその他のスイッチであってもよい。
【００２５】
以下、各装置の詳細構成について説明する。図２は監視装置１０のハードウェア内部構成を示すブロック図である。監視装置１０は、その内部構成としてインタフェース１３、ＣＰＵ１４、プログラム格納部１５、ＬＡＮインタフェース１６およびＲＡＭ１７を備え、これらが内部バス１９を介して相互にデータ交換可能なように接続されている。複数のセンサ１１ａ，１１ｂ，１１ｃは、ドアの開閉検知センサ、煙やガス等の感知センサ、明るさ検知センサ、異常音検知センサ、異常温度検知センサ、光電スイッチ等の任意のセンサであり、それぞれ任意の異常検知場所に設置され、ケーブル等を介してインタフェース１３に接続される。また、設定スイッチ１２もインタフェース１３に接続されている。
【００２６】
ＣＰＵ１４は、プログラム格納部１５に格納されるプログラムを読み出して実行することにより、各センサ１１ａ，１１ｂ，１１ｃが検知する異常を認識したり、設定スイッチ１２の設定状態（操作状態）を把握する。そして各センサの検知状況および設定スイッチ１２の設定状態に応じた処理を行うように構成される。
【００２７】
プログラム格納部１５は、半導体メモリや磁気ディスク装置等によって構成され、ＣＰＵ１４によって実行される処理プログラムを予め記憶するものである。また、ＲＡＭ１７は、半導体メモリによって構成されるメモリであり、ＣＰＵ１４がプログラムに沿った処理を行う際に一時的なデータを記憶するとともに、後述するＭＩＢ（Management Information Base）を記憶する記憶手段である。ＬＡＮインタフェース１６は監視装置１０をＬＡＮ２に接続するためのインタフェースである。
【００２８】
ＣＰＵ１４は、インタフェース１３を介して接続されている、各センサ１１ａ，１１ｂ，１１ｃおよび設定スイッチ１２に対して一定周期で問い合わせを行い、その問い合わせ結果に基づいてＲＡＭ１７に格納されるＭＩＢの内容を更新する。そしてＭＩＢの内容が変化すると、ＣＰＵ１４はＭＩＢに基づいた動作を行うように構成されている。
【００２９】
次に、図３は監視カメラ２０のハードウェア内部構成を示すブロック図である。監視カメラ１０は、内部バス２９を介して、映像信号処理回路２３、ＬＡＮインタフェース２４、ＣＰＵ２５、プログラム格納部２６、ＲＡＭ２７、インタフェース２８，２４０が相互に接続され、これらが互いにデータ交換可能なように構成されている。インタフェース２８には設定スイッチ２２が接続され、ＬＡＮインタフェース２４にはＬＡＮ２が接続されている。また、映像信号処理回路２３には撮像部２１で取得される映像信号が入力するように接続されており、インタフェース２４０には撮像部２１を制御するための撮影制御部２２０が接続されている。
【００３０】
撮像部２１は、被写体を動画や静止画として撮影する機能を有し、撮影レンズ２１１を介して入射する光を、ＣＭＯＳセンサやＣＣＤエリアセンサ等の撮像素子２１２によって光電変換して映像信号を生成し、その映像信号を映像信号処理回路２３に出力するものである。なお、撮像素子２１２の撮影動作は、タイミングジェネレータ２１３によって制御される。
【００３１】
撮像部２１はその撮影方向を変更することができるように構成されているとともに、撮影レンズ２１１はズームレンズを含み、被写体の撮影倍率を変更できるように構成されている。
【００３２】
撮影制御部２２０は、タイミングジェネレータ２１３に対して撮影指令を送出することによって撮像素子２１２における撮影動作を制御する。また、撮影制御部２２０は撮像部２１の撮影方向および撮影レンズ２１１の撮影倍率を変更するように制御する。具体的には、撮影制御部２２０がズーム駆動回路２２１に対して制御信号を送出し、ズーム駆動回路２２１がズームモータ２２２を駆動することにより、撮影レンズ２１１のズームレンズを移動させて撮影倍率を変化させる。また、撮影制御部２２０がチルト駆動回路２２３に対して制御信号を送出し、チルト駆動回路２２３がチルトモータ２２４を駆動することにより、撮像部２１がチルティング動作し、撮像部２１の撮影方向が俯仰方向に変化する。さらに、撮影制御部２２０がパン駆動回路２２５に対して制御信号を送出し、パン駆動回路２２５がパンモータ２２６を駆動することにより、撮像部２１がパン動作し、撮像部２１の撮影方向が左右方向に変化する。
【００３３】
映像信号処理回路２３は、撮像部２１から入力する映像信号に所定の信号処理を施すものであり、例えばＡ／Ｄ変換を行った後、所定の色差マトリクス演算を行ってＹＣｒＣｂ等で表現されたカラー映像信号を出力する。撮像部２１において動画像撮影が行われる場合には、映像信号処理回路２３は撮像部２１から逐次入力する映像信号に対して上記信号処理を継続的に実行する。そして映像信号処理回路２３から出力される映像信号は一時的にＲＡＭ２７に格納される。
【００３４】
ＣＰＵ２５は、プログラム格納部２６に格納されるプログラムを読み出して実行することにより、ネットワークを介して監視装置１０や集中管理装置３０とデータ通信するとともに、監視カメラ２０における統括的な撮影制御および映像信号の送出処理を行うものである。また、ＣＰＵ２５は、設定スイッチ２２の設定状態（操作状態）を把握するように構成され、設定スイッチ２２の設定状態に応じた処理を行う。
【００３５】
プログラム格納部２６は、半導体メモリや磁気ディスク装置等によって構成され、ＣＰＵ２５によって実行される処理プログラムを予め記憶するものである。また、ＲＡＭ２７は、半導体メモリによって構成されるメモリであり、ＣＰＵ２５がプログラムに沿った処理を行う際に一時的なデータを記憶するとともに、映像信号処理回路２３から入力する映像信号を記憶する。また、ＲＡＭ２７は、ＭＩＢを記憶する記憶手段としても機能する。ＬＡＮインタフェース２４は監視カメラ２０をＬＡＮ２に接続するためのインタフェースである。
【００３６】
ＣＰＵ２５は、インタフェース２８を介して設定スイッチ２２に対して一定周期で問い合わせを行うことにより、設定スイッチ２２の設定状態を把握する。そして、その問い合わせ結果に基づいてＲＡＭ２７に格納されるＭＩＢの内容を更新する。そしてＭＩＢの内容が変化すると、ＣＰＵ１４はＭＩＢに基づいた動作を行うように構成されている。
【００３７】
また、ＣＰＵ２５は、ＲＡＭ２７に格納される映像信号を、ネットワークを介して集中管理装置３０に送出するように構成されており、映像信号送出の際には、順次適当なデータ長毎にパケットデータを生成して、ＬＡＮインタフェース２４を介してＬＡＮ２（ネットワーク）に送出する。
【００３８】
次に、図４は集中管理装置３０のハードウェア内部構成を示すブロック図である。集中管理装置３０は、内部バス３９を介して、インタフェース３２、ＲＡＭ３３、ビデオカード３４、ＬＡＮインタフェース３６、ＣＰＵ３７、プログラム格納部３８が相互に接続され、これらが互いにデータ交換可能なように構成されている。またインタフェース３２には、マウス３１ａとキーボード３１ｂとが接続され、ビデオカード３４には液晶ディスプレイやＣＲＴ等のディスプレイ３５が接続される。すなわち、集中管理装置３０は、一般的なコンピュータ（ＰＣ）と同様の構成を有しており、ＣＰＵ３７がプログラム格納部３８に格納されたプログラムを読み出して実行することにより、ネットワークに接続された監視装置１０および監視カメラ２０を統括管理して、監視カメラシステム１の集中管理機能を実現するものである。
【００３９】
ＣＰＵ３７は、磁気ディスク装置等で形成されるプログラム格納部３８に予め格納されたプログラムを読み出して実行することにより、ネットワークを介して監視装置１０および監視カメラ２０とデータ通信を行うとともに、監視カメラ２０から入力する映像信号をビデオカード３４に与えることによって、ディスプレイ３５に監視カメラ２０が撮影した映像を表示させる。また、ＣＰＵ３７は、監視カメラ２０から入力する映像信号をプログラム格納部３８の空き領域に格納することにより、映像記録を行うように構成される。またさらに、ＣＰＵ３７は、マウス３１ａおよびキーボード３１ｂからの入力情報をインタフェース３２を介して入力し、入力情報に応じた処理を行うように構成される。
【００４０】
以上のように構成される本実施形態の監視カメラシステム１は、ネットワークのリモート監視に使用されるプロトコルの１つであるＳＮＭＰ（Simple Network Management Protocol）を用い、監視装置１０、監視カメラ２０および集中管理装置３０が相互に通信を行うように構成される。例えば、監視装置１０のプログラム格納部１５には、監視装置１０がＳＮＭＰエージェントとして機能するためのＳＮＭＰエージェントプログラムが格納され、ＣＰＵ１４がそのＳＮＭＰエージェントプログラムを実行するように構成される。また、監視カメラ２０のプログラム格納部２６には、監視カメラ２０がＳＮＭＰマネージャとして機能するためのＳＮＭＰマネージャプログラムが格納され、ＣＰＵ２５がそのＳＮＭＰマネージャプログラムを実行するように構成される。さらに、集中管理装置３０のプログラム格納部３８には、集中管理装置３８がＳＮＭＰマネージャとして機能するためのＳＮＭＰマネージャプログラムが格納され、ＣＰＵ３７がそのＳＮＭＰマネージャプログラムを実行するように構成される。
【００４１】
したがって、本実施形態においては、監視カメラ２０および集中管理装置３０がＳＮＭＰマネージャとして機能し、監視装置１０がＳＮＭＰエージェントとして機能する。ただし、これに限定されるものではなく、エージェントとマネージャの設定関係は異なる形態であっても構わない。
【００４２】
そして監視装置１０、監視カメラ２０および集中管理装置３０のそれぞれは、上述のように、ＳＮＭＰによって管理されるＭＩＢを記憶するように構成されている。ＭＩＢ（Management Information Base）は、自己の装置の内部状態（ステータス）やネットワークを介して接続される他の装置の状態（ステータス）を記憶する一種のデータベースであり、監視装置１０、監視カメラ２０および集中管理装置３０において保持されるＭＩＢには、各センサ１１ａ，１１ｂ，１１ｃの検知状態（ステータス）を示すプライベートＭＩＢが定義され、各センサの状態を監視カメラ２０や集中管理装置３０でも把握することができるように構成されている。
【００４３】
このような監視カメラシステム１において、監視装置１０、監視カメラ２０および集中管理装置３０が連携した動作を行って複数地点を一元的に監視する監視機能を実現するためには、集中管理装置３０と監視装置１０、集中管理装置３０と監視カメラ２０、並びに、監視装置１０と監視カメラ２０がそれぞれ互いに予め対応づけられておく必要がある。すなわち、監視装置１０では、異常を検知したときに、異常信号を送信する集中管理装置３０のアドレスを予め把握しておくことが必要であるとともに、異常信号を送信する監視カメラ２０のアドレスを予め把握しておくことも必要である。また、監視カメラ２０は、映像信号の送信先となる集中管理装置３０のアドレスを予め把握しておくことが必要であるとともに、自己（監視カメラ）に対応づけられた監視装置１０を予め把握しておくことも必要である。特に本実施形態では、監視カメラ２０は、監視装置１０が異常を検知した場合に、監視装置１０から受信する信号に応答して、その異常発生場所付近の映像を撮影するように構成されるため、監視カメラ２０は監視装置１０によって撮影動作が制御されることとなり、監視カメラ２０と監視装置１０とを予め互いに対応づけておくことは重要な要素となる。
【００４４】
以下に、本実施形態において、各装置間の対応関係を設定する手法を具体的に説明する。図５は、本実施形態における、監視装置１０、監視カメラ２０および集中管理装置３０の内部機能を示すブロック図であり、各装置においてＣＰＵが上記プログラムを実行した場合の、主にそのＣＰＵによって実現される機能及び動作を示す図である。
【００４５】
本実施形態においては、まず、監視装置１０と集中管理装置３０とを対応づけるための処理が行われ、その後、監視装置１０と監視カメラ２０とを対応付けるための処理が行われる。
【００４６】
まず、監視装置１０と集中管理装置３０とを対応づけるための処理について説明する。監視装置１０と集中管理装置３０とを対応づけるために、本実施形態では、例えばＳＮＭＰのプロトコルにしたがって互いの対応関係を設定登録する手法が採用される。このとき、監視装置１０のＩＰアドレスは、予め集中管理装置３０のユーザが認識しているものとする。
【００４７】
監視装置１０の設置現場にて、監視装置１０がネットワークに接続された後、集中管理装置３０のユーザは、マウス３１ａ又はキーボード３１ｂ等の入力装置を用いて監視装置１０のＩＰアドレス宛にリクエストコマンド（要求コマンド）を送信する指示を与える。これにより、集中管理装置３０では、コマンド送信部３０１が機能し、ネットワークを介して要求コマンドを監視装置１０に送信する。
【００４８】
監視装置１０のコマンド受信部１０１が、集中管理装置３０からの要求コマンドを受信すると、監視装置１０においてコマンド解析部１０２が機能し、受信した要求コマンドに含まれる集中管理装置３０のＩＰアドレスおよびグループ名を解析し、監視装置１０内のＭＩＢ１０４に登録する。
【００４９】
なお、グループ名とは、１つの監視グループごとに設定される名称であり、集中管理装置３０で監視グループごとの管理を容易にするための名称である。例えば、監視装置１台に対して１つの監視グループが設定されたり、または一定の監視領域に対して１つの監視グループが設定される。そのため、互いに対応付けが行われる監視装置１０と監視カメラ２０とは、同一グループに属することになる。
【００５０】
監視装置１０におけるＭＩＢ１０４への登録処理が終了すると、パケット送信部１０３が機能し、設定完了を示すＴＲＡＰパケットを生成して集中管理装置３０に送信する。このとき、設定完了を示す情報には、監視装置１０に固有の識別情報（例えばＭＡＣアドレスなど）が含まれる。
【００５１】
集中管理装置３０のパケット受信部３０２は、監視装置１０から設定完了のＴＲＡＰパケットを受信すると、監視装置１０の設定が完了したことを認識するとともに、ＭＩＢ３０３に監視装置１０の識別情報を登録する。集中管理装置３０は、以後監視装置１０からパケットを受信すると、ＭＩＢ３０３に登録された識別情報を認証確認に使用する。
【００５２】
以上で、監視装置１０と集中管理装置３０との対応づけが終了することになり、監視装置１０のＭＩＢ１０４には、異常を検知したときに異常信号としてのＴＲＡＰパケットを送信すべき集中管理装置３０が登録される。なお、ネットワーク上に集中管理装置３０が管理する他の監視装置が存在する場合には、上記の手順を繰り返し行うことになる。
【００５３】
次に、監視装置１０と監視カメラ２０とを対応づけるための処理について説明する。図１〜図３に示されるように、本実施形態においては、監視装置１０および監視カメラ２０のそれぞれに設定スイッチ１２，２２が設けられており、これら設定スイッチ１２，２２が設置現場でユーザ（設置作業者）によって操作されることにより、監視装置１０および監視カメラ２０の対応付けが自動的に実行されるように構成されている。
【００５４】
設置現場にて、監視カメラ２０がネットワークに接続された後、ユーザはまず監視装置２０の設定スイッチ１２を操作してオン状態に切り替える。設定スイッチ１２がオン状態に切り替えられると、監視装置１０のＣＰＵ１４はＭＩＢ１０４に記録される設定スイッチ１２のステータスをオン状態に更新する。
【００５５】
続いて、ユーザは監視カメラ２０の設定スイッチ２２を操作してオン状態に切り替える。監視カメラ２０において設定スイッチ２２がオン状態に遷移すると、コマンド送信部２０１が機能し、ＬＡＮインタフェース２４を介してネットワークの全ての機器に向けて、リクエストコマンド（要求コマンド）をブロードキャスト送信する。なお、この要求コマンドは、監視カメラ２０から監視装置に向けて対応関係を確立することを要求するコマンドであり、送信元である監視カメラ２０のＩＰアドレスを含むコマンドである。
【００５６】
監視装置１０は、コマンド受信部１０１が監視カメラ２０からの要求コマンドを受信すると、コマンド解析部１０２がＭＩＢ１０４を参照し、自己の設定スイッチ１２がオン状態となっているか否かを判断する。そして自己の設定スイッチ１２がオン状態になっていれば、ブロードキャスト送信された要求コマンドが自身宛の要求であると認識して、パケット送信部１０３を機能させ、要求コマンドに対する応答コマンドをＴＲＡＰパケットとして送信する。これに対し、自己の設定スイッチ１２がオン状態になっていなければ、ブロードキャスト送信された要求コマンドが自身宛の要求であるとは認識せず、要求コマンドに対する応答コマンドの送信処理は行わない。
【００５７】
すなわち、監視装置１０の設定スイッチ１２は、ネットワークにブロードキャスト送信される要求コマンドを受信した場合に、その要求コマンドに対する応答コマンドを送信する自動応答機能を能動化させるための操作部材となっており、設定スイッチ１２が操作され、オン状態となっている場合に監視装置１０において自動応答機能が動作するようになっている。そして、監視装置１０が自動応答機能の動作期間中に受信する要求コマンドを自身宛の要求であると認識して、それに対する応答コマンドを自動的にＴＲＡＰパケットとして送信するように構成されている。
【００５８】
また、監視装置１０は、監視カメラ２０からの要求コマンドを受信したとき、自己の設定スイッチ１２がオン状態になっていれば、要求コマンドに含まれる情報をＭＩＢ１０４に登録する。これにより、監視装置１０には、相手方となる監視カメラ２０を特定するためのＩＰアドレス等が登録されることになる。
【００５９】
監視装置１０が応答コマンドを送信する際には、そのＴＲＡＰパケットに、監視装置１０のＩＰアドレス、先述の集中管理装置３０との間で設定されたグループ名、および集中管理装置３０のＩＰアドレスなどの情報を含め、要求コマンドの送信元であるＩＰアドレス宛に送信する。
【００６０】
この結果、監視カメラ２０のパケット受信部２０２は、監視装置１０からのＴＲＡＰパケットを受信することになり、受信したＴＲＡＰパケットに含まれる情報をＭＩＢ２０３に登録する。すなわち、監視カメラ２０のＭＩＢ２０３には、監視装置１０のＩＰアドレス、グループ名、および映像信号の送信先となる集中管理装置３０が特定されることになる。
【００６１】
その後、監視装置１０および監視カメラ２０の設定スイッチ１２，２２がそれぞれユーザによってオフ状態に切り替えられることにより、監視装置１０と監視カメラ２０とが互いに対応付けられた状態で、監視カメラシステム１としての通常の監視動作に移行することになる。それ以後、監視装置１０は、他の監視カメラ２０から要求コマンドを受信しても、それに対する応答コマンドを送信することはなく、各センサ１１ａ，１１ｂ，１１ｃによる異常検知を監視する状態になる。また、監視カメラ２０は、自身のＩＰアドレス宛にＴＲＡＰパケットが送られてきても、ＭＩＢ２０３に登録された監視装置１０のＩＰアドレスおよびグループ名が一致しない限り、撮影動作を開始しないようになる。
【００６２】
以上で、監視装置１０と監視カメラ２０との対応づけが終了することになり、監視装置１０のＭＩＢ１０４には、異常を検知したときに異常信号としてのＴＲＡＰパケットを送信すべき監視カメラ１０が登録され、監視カメラ２０のＭＩＢ２０３には、相手方となる監視装置１０が登録されることになる。また、監視装置１０と監視カメラ２０との対応づけが終了することにより、同時に監視カメラ２０と集中監視装置３０との対応付けも終了することになり、監視カメラ２０のＭＩＢ２０３には、映像信号の送信先となる集中管理装置３０が登録されることになる。なお、集中管理装置３０にも監視カメラ２０の情報を登録するために、上記の手順が終了した後に、監視装置１０又は監視カメラ２０が集中管理装置３０に対して監視カメラ２０の情報を送信するようにしてもよい。
【００６３】
そしてネットワーク上に監視装置と監視カメラとの他の組み合わせが存在する場合には、上記の手順を繰り返し行うことになる。すなわち、本実施形態においては、監視装置１０の設定スイッチ１２がオン状態である期間中に、監視カメラ２０の設定スイッチ２２がオン状態となれば、監視装置１０と監視カメラ２０との間で自動的に対応関係を確立するためのシーケンスが実行されるので、監視装置１０と監視カメラ２０との組み合わせが複数組存在する場合には、各組の監視装置１０と監視カメラ２０の設定スイッチ１２，２２を操作するタイミングをずらしていくことにより、全ての組み合わせで有効に監視装置１０と監視カメラ２０との対応関係を設定することができるようになる。
【００６４】
なお、上記においては、設定スイッチ１２，２２のオン状態とオフ状態とを切り替えるためにその都度ユーザ操作を必要とする場合を例示したが、例えば、ユーザが１回スイッチ操作（押し込み操作等）を行うと、一定時間スイッチの接点がオン状態となり、一定時間経過後自動的にオフ状態に復帰するような設定スイッチを用いてもよい。この場合、ユーザが設定スイッチ１２，２２を操作する回数が減少するので、設置現場での作業効率が向上することになる。
【００６５】
次に、上記のようにして、監視装置１０、監視カメラ２０および集中管理装置３０の対応関係が設定された後に、監視カメラシステム１が行う監視動作の詳細について説明する。
【００６６】
監視装置１０のＭＩＢ１０４には、各センサ１１ａ，１１ｂ，１１ｃのステータス（異常検知の有無に関する情報）が格納されており、監視装置１０のＣＰＵ１４は一定周期でセンサ１１ａ，１１ｂ，１１ｃの検知状況を把握し、異常が検知されていた場合にはＭＩＢ１０４を書き換える。そしてＭＩＢ１０４が書き換えられ、いずれかのセンサのステータスが異常を検知した値に変化すると、監視装置１０では、パケット送信部１０３が機能し、異常を示すＴＲＡＰパケットを集中管理装置３０に送信する。また、監視装置１０のパケット送信部１０３は、異常を示すＴＲＡＰパケットを監視カメラ１０にも送信する。このとき送信するＴＲＡＰパケットの送信先は、先述の対応関係の設定手順で事前に登録された装置（集中管理装置３０および監視カメラ１０）であり、そのＴＲＡＰパケットには異常を検知したセンサを特定する情報などが含まれる。
【００６７】
集中管理装置３０のＭＩＢ３０３にも、監視装置１０の各センサ１１ａ，１１ｂ，１１ｃのステータス（異常検知の有無に関する情報）が格納されている。そして集中管理装置３０のパケット受信部３０２が、監視装置１０から異常検知を示すＴＲＡＰパケットを受信すると、異常を検知した監視装置１０を特定し、ＭＩＢ３０３を書き換える。集中管理装置３０のＭＩＢ解析部３０４はＭＩＢ３０３の状態変化を解析し、異常検知である場合には映像表示処理部３０５を機能させて、ディスプレイ３５に異常検知を示す画面を表示させる。これにより、集中管理装置３０のユーザは、監視装置１０が異常を検知したことを速やかに把握することができる。
【００６８】
一方、監視カメラ２０のパケット受信部２０２は、予め対応付けられた監視装置１０から異常検知を示すＴＲＡＰパケットを受信すると、監視カメラ２０内のＭＩＢ２０３を書き換える。監視カメラ２０のＭＩＢ解析部２０４は、ＭＩＢ２０３の状態変化を解析し、異常を検知したセンサを特定してカメラ制御コード生成部２０５を機能させる。カメラ制御コード生成部２０５は、異常を検知したセンサに基づいて、変換テーブル２０６を参照することにより、撮影制御部２２０を制御するためのカメラ制御コードを生成する。
【００６９】
変換テーブル２０６は、監視カメラ２０のＲＡＭ２７などに予め格納されるテーブルデータであって、撮像部２１による撮影方向および撮影倍率が、監視装置１０の監視地点（すなわち、各センサ１１ａ，１１ｂ，１１ｃが異常を検知する場所）の撮影に適合するように、センサごとに制御コードが対応付けられたデータである。したがって、カメラ制御コード生成部２０５は、異常を検知したセンサに基づいて変換テーブル２０６を参照することにより、撮像部２１が異常発生場所付近を撮影するのに適した、ズーム駆動、チルト駆動およびパン駆動を行うための制御コードを取得することができる。
【００７０】
そして監視カメラ２０において制御コード送信部２０７が機能し、ＣＰＵ２５から撮影制御部２２０に制御コードが送信される。撮影制御部２２０は、この制御コードに基づいて、ズーム駆動回路２２１、チルト駆動回路２２３およびパン駆動回路２２５を駆動させ、撮像部２１の撮影方向および撮影倍率を異常発生場所付近の撮影に適した状態に変化させる。また、撮影制御部２２０はタイミングジェネレータ２１３に対して撮影指令を送出し、撮像素子２１２による撮影動作を開始させる。撮像素子２１２から出力される映像信号は映像信号処理回路２３で逐次処理されていき、ＲＡＭ２７に格納されていく。そしてＣＰＵ２５は映像送信部２０９として機能し、ネットワークを介して集中管理装置３０に映像信号を逐次送信する。
【００７１】
この結果、集中管理装置３０は、監視カメラ２０の撮影制御を行うことなく、異常発生場所付近の映像信号を入手することができるようになり、監視装置１０が異常を検知してから比較的遅延の少ない映像を取得することができるようになる。
【００７２】
このように本実施形態の監視カメラシステム１においては、監視装置１０が異常を検知した場合、監視装置１０自身に対応付けられた監視カメラ２０に対して直接的に異常検知を示す信号を送出することにより、監視装置１０が監視カメラ２０の撮影動作を直接制御するように構成されている。言い換えれば、監視装置１０が監視カメラ２０に対して送信する異常を示すＴＲＡＰパケットが、監視装置２０に対して撮影動作を指示する信号となっている。そのため、集中管理装置３０に負荷をかけることなく、監視カメラ２０が速やかに撮影動作を開始することができ、集中管理装置３０は異常発生から遅延の少ない映像を取得することができ、その映像を表示又は記録できるようになっている。
【００７３】
以上のように、本実施形態の監視カメラシステム１は、異常を検知する監視装置１０と、画像を撮影する監視カメラ２０とがネットワークを介して接続された構成であり、監視装置１０と監視カメラ２０との対応関係を設定する際に、監視カメラ２０が、ユーザによる設定操作に応答してネットワークに要求コマンドをブロードキャスト送信するように構成され、監視装置１０が、ネットワークを介して受信する要求コマンドが自身宛の要求であることを認識した場合、その監視カメラ２０に宛てて応答コマンドを送信するように構成されている。特に、本実施形態では、監視装置１０において設定スイッチ１２が操作され、自動応答機能が動作している期間中に監視カメラ２０からの要求コマンドを受信した場合に、その要求コマンドが自身宛の要求であると認識するようになっている。
【００７４】
したがって、本実施形態の監視カメラシステム１では、どの監視装置１０がどの監視カメラ２０を制御するのかという対応関係を、集中管理装置３０から監視装置１０および監視カメラ２０に対して個別に設定していく必要はなく、集中管理装置３０の負荷は著しく軽減される。そして監視装置１０および監視カメラ２０の設置現場で比較的簡単に互いの対応関係を設定できるようになる。
【００７５】
また、本実施形態の監視カメラシステム１では、監視装置１０が異常を検知した場合、監視装置１０に対応付けられた監視カメラ２０に対し、ネットワークを介して撮影動作を指示する信号を送信するように構成されているので、監視装置１０が異常を検知した場合の集中管理装置３０の負担は著しく軽減され、異常発生からほとんど遅れのない映像を集中管理装置３０が取得できるようになっている。
【００７６】
＜第２の実施の形態＞
次に、第２の実施の形態について説明する。図６は、本発明の第２の実施形態にかかる監視カメラシステム１ａを示す概略構成図である。なお、図６においては第１の実施の形態で説明した部材と同様の構成部材については同一符号を付しており、ここではそれらについての詳細な説明を省略する。
【００７７】
本実施形態の監視カメラシステム１ａは、第１の実施の形態と同様に、監視装置１０と監視カメラ２０と集中管理装置３０とがネットワークを介して互いに接続された構成を有しており、監視装置１０は、監視地点の異常等を検知するための複数のセンサ１１ａ，１１ｂ，１１ｃを備え、少なくとも１つのセンサが異常を検知した場合には、集中管理装置３０に対して異常信号を送信するとともに、監視カメラ２０に異常信号を送信し、監視カメラ２０が異常発生場所付近の映像を撮影して集中管理装置３０に映像信号を送信するように構成されている。
【００７８】
なお、監視装置１０、監視カメラ２０および集中管理装置３０のハードウェア内部構成は、それぞれ第１の実施の形態で説明した図２乃至図４と同様であり、以下においては適宜これらの図面を参照する。
【００７９】
本実施形態においては、図６に示すように、監視装置１０の外面に、外部から視認可能なように監視装置１０に固有の識別情報９が貼り付けられている。図６では、識別情報９がバーコードとして付される場合を例示している。また、本実施形態においては、監視装置１０のＲＡＭ１７（図２参照）に、識別情報９に一致する情報が格納される。例えば、監視装置１０のＭＡＣアドレスをバーコード化した識別情報９が監視装置１０に貼り付けられ、監視装置１０のＲＡＭ１７にはそのＭＡＣアドレスが格納される。
【００８０】
また本実施形態の監視カメラ１０は、ユーザが操作する設定スイッチ８を備えている。この設定スイッチ８は、監視装置１０および監視カメラ２０の対応関係を自動設定するための操作部材であり、例えばユーザによって設定スイッチ８が操作されると、監視カメラ２０は静止画撮影を行い、それによって取得される画像の画像解析を行った後、ネットワークに要求コマンドをブロードキャスト送信するように構成される。
【００８１】
以下に、本実施形態において、監視装置１０と監視カメラ２０との対応関係を設定する手法を具体的に説明する。図７は、本実施形態における、監視装置１０、監視カメラ２０および集中管理装置３０の内部機能を示すブロック図であり、各装置においてＣＰＵがプログラムを実行した場合の、主にそのＣＰＵによって実現される機能及び動作を示す図である。なお、図７において、図５に示したものと同様の機能を示すものには同一符号を付している。
【００８２】
本実施形態においても、はじめに監視装置１０と集中管理装置３０とを対応づけるための処理が行われ、その後、監視装置１０と監視カメラ２０とを対応付けるための処理が行われる。ただし、監視装置１０と集中管理装置３０とを対応づけるための処理は、第１の実施の形態と同様であるので、その説明は省略し、以下に監視装置１０と監視カメラ２０とを対応づけるための処理について説明する。
【００８３】
監視装置１０と監視カメラ２０とがネットワークに接続された後、監視装置１０の外面に付された識別情報９を撮影可能な状態に監視カメラ２０を配置し、ユーザが監視カメラ２０の設定スイッチ８を操作する。
【００８４】
これにより、監視カメラ２０では、ＣＰＵ２５が撮影制御部２２０に撮影指令を与え、撮影制御部２２０が撮像部２１を制御して、監視装置１０の識別情報９を撮影した画像（例えば静止画）を取得する（図３および図７参照）。この画像がＲＡＭ２７に格納された後、監視カメラ２０のＣＰＵ２５は画像解析部２０８として機能し、ＲＡＭ２７に格納された画像を取得して画像解析を行う。この画像解析は、撮影によって得られた画像に含まれるバーコード画像から識別情報９を認識する処理である。したがって、識別情報９が監視装置１０のＭＡＣアドレスをバーコード化したものである場合には、画像解析部２０８によってそのＭＡＣアドレスが読み取られることになる。そして識別情報９の読み取りが良好に完了すると、監視カメラ２０は、その識別情報（ＭＡＣアドレス）をＲＡＭ２７に格納する。
【００８５】
そして監視カメラ２０でコマンド送信部２０１が機能し、ＬＡＮインタフェース２４を介してネットワークの全ての機器に向けて、リクエストコマンド（要求コマンド）をブロードキャスト送信する。なお、この要求コマンドは、監視カメラ２０から監視装置に向けて対応関係を確立することを要求するコマンドであり、送信元である監視カメラ２０のＩＰアドレスと、画像解析部２０８にて特定された識別情報とを含むコマンドである。
【００８６】
監視装置１０は、コマンド受信部１０１が監視カメラ２０からの要求コマンドを受信すると、コマンド解析部１０２がＲＡＭ１７に格納された識別情報１０９を参照し、要求コマンドに含まれる識別情報と、ＲＡＭ１７に格納された識別情報１０９とが一致するか否かを判断する。そして受信した識別情報とＲＡＭ１７の識別情報１０９とが一致する場合、ブロードキャスト送信された要求コマンドを自身宛の要求であると認識して、パケット送信部１０３を機能させ、要求コマンドに対する応答コマンドをＴＲＡＰパケットとして送信する。これに対し、受信した識別情報とＲＡＭ１７の識別情報１０９とが一致しない場合、ブロードキャスト送信された要求コマンドを自身宛の要求であるとは認識せず、要求コマンドに対する応答コマンドの送信処理は行わない。
【００８７】
すなわち本実施形態においては、監視装置１０が受信する要求コマンドに含まれるＭＡＣアドレスが、監視装置１０自身のＭＡＣアドレスに一致するか否かが判断され、一致する場合に自身宛の要求コマンドであると認識することになる。
【００８８】
また、監視装置１０は、監視カメラ２０からの要求コマンドを自身宛の要求コマンドである認識したとき、要求コマンドに含まれる情報をＭＩＢ１０４に登録する。これにより、監視装置１０には、相手方となる監視カメラ２０を特定するためのＩＰアドレス等が登録されることになる。
【００８９】
そして監視装置１０が応答コマンドを送信する際には、そのＴＲＡＰパケットに、監視装置１０のＩＰアドレス、集中管理装置３０との間で設定されたグループ名、および集中管理装置３０のＩＰアドレスなどの情報を含め、要求コマンドの送信元であるＩＰアドレス宛に送信する。
【００９０】
この結果、監視カメラ２０のパケット受信部２０２は、監視装置１０からのＴＲＡＰパケットを受信することになり、受信したＴＲＡＰパケットに含まれる情報をＭＩＢ２０３に登録する。すなわち、監視カメラ２０のＭＩＢ２０３には、監視装置１０のＩＰアドレス、グループ名、および映像信号の送信先となる集中管理装置３０が設定されることになる。
【００９１】
以上で、監視装置１０と監視カメラ２０との対応づけが終了することになり、監視装置１０のＭＩＢ１０４には、異常を検知したときに異常信号としてのＴＲＡＰパケットを送信すべき監視カメラ１０が登録され、監視カメラ２０のＭＩＢ２０３には、相手方となる監視装置１０が登録されることになる。また、監視装置１０と監視カメラ２０との対応づけが終了することにより、同時に監視カメラ２０と集中監視装置３０との対応付けも終了することになり、監視カメラ２０のＭＩＢ２０３には、映像信号の送信先となる集中管理装置３０が登録されることになる。
【００９２】
なお、上記においては、監視カメラ２０の設定スイッチ８が操作されるときには、監視カメラ２０がネットワークに接続された状態である場合を例示したが、例えば監視装置１０の設置位置と監視カメラ２０の設置位置とが比較的離れている場合には、監視カメラ２０をネットワークに接続した状態で監視装置１０の外面に付された識別情報９を良好に撮影することが困難である場合が想定される。そのような場合には、一時的に監視カメラ２０をネットワークから切り離して、監視カメラ２０を、監視装置１０に付された識別情報９を撮影可能な位置に設置した後、ユーザによって設定スイッチ８が操作されたことに応答して撮影制御部２２０と画像解析部２０８とを機能させ、画像の撮影処理と解析処理とを予め行っておく。その後、監視カメラ２０が設置予定場所に固定されて、ネットワークに接続された場合に、そのネットワーク接続に応答して、若しくは再度設定スイッチ８が操作されたことに応答して、コマンド送信部２０１が機能し、ネットワークを介して識別情報を含む要求コマンドをブロードキャスト送信するように構成すればよい。
【００９３】
そして上記のようにして、監視装置１０と監視カメラ２０との対応関係が設定された後、監視カメラシステム１ａは通常の監視動作に移行することになる。この監視動作については、第１の実施の形態で説明したものと同様であるので、ここではその詳細についての説明を省略する。
【００９４】
以上のように、本実施形態の監視カメラシステム１ａは、第１の実施の形態と同様に、異常を検知する監視装置１０と、画像を撮影する監視カメラ２０とがネットワークを介して接続された構成となっており、監視装置１０と監視カメラ２０との対応関係を設定する際に、監視カメラ２０が、ネットワークに要求コマンドをブロードキャスト送信するように構成され、監視装置１０が、ネットワークを介して受信する要求コマンドが自身宛の要求であることを認識した場合、その監視カメラ２０に宛てて応答コマンドを送信するように構成されている。特に、本実施形態では、監視カメラ２０は、ユーザが操作する設定スイッチ８を備え、該設定スイッチ８が操作されたことに応答して、画像を撮影して画像認識を行うことにより、その画像に含まれる識別情報を取得し、要求コマンドに当該識別情報を含めてブロードキャスト送信するように構成されている。そして監視装置１０は、その外面に固有の識別情報９が付されるとともに、当該固有の識別情報をＲＡＭ１７に記憶しており、ネットワークを介して要求コマンドを受信した場合、その要求コマンドに含まれる識別情報がＲＡＭ１７に記憶される監視装置固有の識別情報に一致するか否かを判断し、一致する場合に、受信した要求コマンドを自身宛の要求であると認識するように構成されている。
【００９５】
したがって、本実施形態の監視カメラシステム１ａにおいても、どの監視装置１０がどの監視カメラ２０を制御するのかという対応関係を、集中管理装置３０から監視装置１０および監視カメラ２０に対して個別に設定していく必要はなく、集中管理装置３０の負荷は著しく軽減される。そして監視装置１０および監視カメラ２０の設置現場で比較的簡単に互いの対応関係を設定できるようになる。
【００９６】
また、本実施形態においても、監視カメラシステム１ａが通常の監視動作に移行した後に、監視装置１０が異常を検知した場合、監視装置１０が、監視装置１０に対応付けられた監視カメラ２０に対し、ネットワークを介して撮影動作を指示する信号を送信するように構成されることになる。そのため、監視装置１０が異常を検知した場合の集中管理装置３０の負担は著しく軽減され、異常発生からほとんど遅れのない映像を集中管理装置３０が取得できるようになっている。
【００９７】
＜変形例＞
以上、本発明の実施の形態について説明したが、本発明は上述したものに限定されるものではない。
【００９８】
例えば、上記実施形態においては、監視カメラシステム１，１ａが比較的大規模システムとして構築されるものを例示し、監視装置１０および監視カメラ２０による監視状態を集中管理装置３０で集中管理する構成例を説明した。しかし、上記各実施形態における、監視装置１０と監視カメラ２０の対応関係を設定する手法は、集中管理装置３０を有する大規模システムに適用できるだけでなく、集中管理装置３０を有さない小規模システムにも適用できるものである。それ故、本発明におけるネットワーク構成は、図１および図６に例示したものに限定されるものではない。
【００９９】
また、上記実施形態における監視カメラシステム１，１ａでは、ネットワークのリモート監視に使用されるプロトコルの１つであるＳＮＭＰを使用して監視機能を実現する場合を例示したが、監視カメラシステムにおいて適用される通信プロトコルはそれに限定されるものではない。
【０１００】
また、第２の実施の形態では、監視装置１０に貼り付けられる識別情報９が、監視装置１０に固有のＭＡＣアドレスをバーコード化したものである場合を例示したが、それに限定されるものでもない。すなわち、識別情報９は、ＭＡＣアドレス以外の識別情報を用いてもよいし、バーコード以外の表示態様で表示するものであっても構わない。
【図面の簡単な説明】
【０１０１】
【図１】第１の実施の形態における監視カメラシステムを示す概略構成図である。
【図２】監視装置のハードウェア内部構成を示すブロック図である。
【図３】監視カメラのハードウェア内部構成を示すブロック図である。
【図４】集中管理装置のハードウェア内部構成を示すブロック図である。
【図５】監視カメラシステムにおける各装置の内部機能を示すブロック図である。
【図６】第２の実施の形態における監視カメラシステムを示す概略構成図である。
【図７】監視カメラシステムにおける各装置の内部機能を示すブロック図である。
【符号の説明】
【０１０２】
１，１ａ  監視カメラシステム
２，６  ＬＡＮ（ネットワーク）
４  広域通信網（ネットワーク）
９  識別情報
１０  監視装置
１１ａ，１１ｂ，１１ｃ  センサ（検知手段）
１２，２２，８  設定スイッチ
２０  監視カメラ
２１  撮像部
３０  集中管理装置
【図１】
2005301850.tif 000003
【図２】
2005301850.tif 000004
【図３】
2005301850.tif 000005
【図４】
2005301850.tif 000006
【図５】
2005301850.tif 000007
【図６】
2005301850.tif 000008
【図７】
2005301850.tif 000009